(57)【特許請求の範囲】
【請求項１】
水源からの流水を取り込むための開口部を備えた球形の筺体と、
該筺体内に滑動自在に収納された球形の錘玉と、
上記開口部と反対側に設けられた浮き部材とを備え、
上記筺体及び浮き部材は生分解性プラスティックよりなり、
上記錘玉は、上記開口部が下方に位置する際には当該開口部に嵌合してこれを閉塞すると共に、上記開口部が上方に位置する際には浮き部材側に位置して当該開口部を開放し、
上記浮き部材は、水に浮かべられた状態で上記筺体内に水が一定以上充填され、水流の圧力及び水充填に伴う浮力の低下によって筺体が一旦水中に沈降した際に、これを転回して再浮上させうる浮力を少なくとも備えていることを特徴とする水資源貯蔵器。
【発明の詳細な説明】
【０００１】
【発明の属する技術分野】
この発明は水資源貯蔵器に係り、特に、比較的小型の筺体内に自然力を活かして水を容易に充填させることができ、移送・保管の途中での水質劣化や蒸発を有効に防止可能で、しかも使用後における環境負荷がほとんど生じない水資源貯蔵器に関する。
【０００２】
【従来の技術】
水は生物の生存にとって必要不可欠であることはもちろん、農業や工業といった産業上の利用価値も極めて高い物質であることは論を待たないが、現在、地球的規模で水資源の偏在化が問題となっている。
すなわち、水害によって大きな被害が発生する地域がある一方、大規模な干ばつによって農作物の生育に深刻な影響が及んでいる地域もある。
また、同一地域内であっても、季節によって降水量にバラツキが大きい場合には、水害と水不足を繰り返すこととなる。
地球温暖化やエルニーニョ現象等に起因する異常気象の影響で、水資源の偏在性は今後ますます深刻化していくことが予想される。
【０００３】
【発明が解決しようとする課題】
このような水資源の偏在現象は、本来、水資源の豊富な（あるいは過剰な）地域から欠乏している地域へタイムリーに移送したり、雨期における雨水を乾期まで保存しておくことができれば解消することである。
しかしながら、水には、(1)様々な物質が溶け込みやすい、(2)微生物等が繁殖しやすい、(3)流出や蒸発によって消失しやすい、といった特性があるため、品質や状態を維持したまま長距離を輸送したり長時間保管するには大きなコストが掛かることとなる。
【０００４】
もちろん、現在でも自国の豊富な水資源を重要な戦略物質と位置付け、水不足に悩む国や地域に積極的に輸出する動きがみられるが、このような高価な水を購入できるのは産油国等の一部の富裕国に限られ、先進国の援助に頼る発展途上国の住民が入手することは困難である。
また、現在行われている水の輸出は、大型タンカー等を利用して大きな水の塊として取り引きされているため、例え発展途上国に搬送されたとしても、個々の住民レベルまで行き渡らせるためには、上水道施設や給水車等を手配する必要があり、大きな資金が必要となる。
初めからペットボトルやポリタンク等に水を小分けして発展途上国に搬送すれば、通常の鉄道輸送やトラック輸送によって住民に届けることができるが、水を個々の容器に充填させる時点で大きな手間とコストが掛かることとなる。
さらに、内部の水を使用し終えた後には、大量の容器の処分問題が生じることとなり、
不法投棄による環境破壊が懸念される。
【０００５】
この発明は、上記従来の問題点を解決するために案出されたものであり、自然界に存在する水資源を容易に充填することができると共に、品質の劣化や状態変化を極力排しつつ長距離の輸送や長期間の保管を可能とし、さらに使用後には容易に処分可能な水資源貯蔵器を提供することを目的としている。
【０００６】
【課題を解決するための手段】
上記の目的を達成するため、この発明に係る水資源貯蔵器は、水源からの流水を取り込むための開口部を備えた球形の筺体と、該筺体内に滑動自在に収納された球形の錘玉と、
上記開口部と反対側に設けられた浮き部材とを備え、上記筺体及び浮き部材は生分解性プラスティックよりなり、上記錘玉は、上記開口部が下方に位置する際には当該開口部に嵌合してこれを閉塞すると共に、上記開口部が上方に位置する際には浮き部材側に位置して当該開口部を開放し、上記浮き部材は、水に浮かべられた状態で上記筺体内に水が一定以上充填され、水流の圧力及び水充填に伴う浮力の低下によって筺体が一旦水中に沈降した際に、これを転回して再浮上させうる浮力を少なくとも備えていることを特徴としている。
上記筺体の内面に、吸水性樹脂よりなる中綿層と、これを覆う防水カバーとを設けてもよい。この防水カバーは、予め設定された時間が経過した時点で水に溶融して上記中綿層を水に露出させる。
【０００７】
【発明の実施の形態】
図１は、この発明に係る第１の水資源貯蔵器10を示す断面図である。
この第１の水資源貯蔵器10は、ほぼ直方体形状の筺体12を備えており、筺体12内には中綿14と水溶性の顔料16とが配置されている。
また、筺体12の上面12ａには開口部18が形成されており、この開口部18には網状蓋部材20が装着されている。
【０００８】
上記中綿14は、吸水性樹脂によって構成されている。
この吸水性樹脂は、例えばポリグルタミン酸高分子よりなり、蒸留水に対しては自重の約5,000倍もの保水性を備えている。このポリグルタミン酸高分子は、納豆の糸の主成分であるγ−ポリグルタミン酸にγ線を照射するか、エポキシ樹脂を用いて反応させることによって得られる。
【０００９】
上記筺体12は、土中や水中の微生物によって水と二酸化炭素に分解される生分解性プラスティックによって構成されている。
現在、この生分解性プラスティックとして様々なものを選択し得るが、ここではポリ−Ｌ乳酸を用いている。この生分解性プラスティックはサトウキビを原料に作られるが、生ゴミに水を加えて細かく砕いた後に乳酸菌を添加して発酵させることによって生成することもでき、この場合には菌がゴミを分解して作り出す乳酸菌がプラスティックとして有効利用されるものである。
筺体の色彩について特に限定はないが、無色透明あるいは半透明であることが望ましい。
また、上記網状蓋部材20も生分解性プラスティックによって構成されている。
【００１０】
つぎに、この第１の水資源貯蔵器10の利用方法について説明する。
まず、水の充填段階においては、図示の通り開口部18を上向きにして屋外（例えばビルの屋上や空き地、ベランダ等）の地面21あるいは床面に載置する。
この際、各筺体の上面12ａに他の筺体12を積み上げることもできるが、互いの開口部18を閉塞しないように配置される。
この状態で雨が降ると、各筺体12の開口部18から雨水22が内部に自然に注ぎ込まれ、中綿14に吸収される。雨水を吸収することによって中綿14は膨張し、やがて筺体12内に充満することとなるが、開口部18は網状蓋部材20によって閉塞されているため、外部に飛び出すことはない。
この際、雨水に溶けた顔料16が中綿14に染み込み、筺体12の内壁面に張り付くこととなる。上記のように筺体は透明あるいは半透明であるため、外部から筺体12内における中綿14の膨張度を認識することが可能となる。
【００１１】
筺体12内において中綿14が膨張し切った時点で、この第１の水資源貯蔵器10の内部に貯蔵された水資源の利用段階に入ることとなる。
まず、最もシンプルな利用法としては、そのまま充填場所に放置することが挙げられる。すなわち、内部に水が充満した第１の水資源貯蔵器10をビルの屋上等に敷き詰めておくだけで、気化潜熱による冷却効果が期待でき、夏場におけるエアコンの電力消費量を低減することが可能となる。
【００１２】
あるいは、図２に示すように、網状蓋部材20の凹部に腐葉土24を充填させ、植物の球根26や種子を植えることが挙げられる。やがて球根26や種子は発芽し、腐葉土24中の養分と中綿14中の水分を吸収して生育する。もしくは、中綿14に水耕栽培に必要な栄養素を封入してもよい。
この第１の水資源貯蔵器10を乾燥地帯や農耕不適格地帯に運び込めば、これら不毛の土地で農作物を収穫するといったことも現実のものとなる。根が十分に生育・伸長したものは、荒地でも植生しやすい。
もちろん、ビルの屋上やベランダにおいて、鑑賞用の植物を植えることも可能である。
【００１３】
他の利用法としては、図３に示すように、第１の水資源貯蔵器10の開口部18を下に向けて地面21に埋設することが考えられる。筺体12は生分解性プラスティックで形成されているため、地面21と接した部分が徐々に分解されて内部の中綿14が地面21に接触することとなり、内部に貯蔵した水分が土中に浸透する。この結果、乾いた土地に水分を補給することが可能となる。
生分解性プラスティックは、空気に触れている限り分解しないため、筺体の他の部分は比較的長く原型が維持され、内部の水分が蒸発することを防止できる。
もちろん、最終的には筺体12及び網状蓋部材20は自然に分解されて後に残らない。中綿14も有機性素材よりなるため、土中で自然分解される。
【００１４】
この第１の水資源貯蔵器10にあっては、直方体形状の筺体12単位で水資源が貯蔵されるため、運搬や保管が容易であるのみならず、満杯状態における重量の計算が容易となる利点がある。ビルの屋上に貯蔵器10を設置するとなると、単位面積当たりの限界荷重を越えないように配慮する必要があるが、「積層された貯蔵器10の個数×１個当たりの満杯時重量」によって簡単に荷重を計算することが可能となる。
【００１５】
また、内部に貯められた水分は、中綿14の分子構造中に取り込まれているため、運搬途中で腐敗しにくく、こぼれることもない。
水分の蒸発を最小限に抑えるため、開口部18に生分解性プラスティック製の密閉蓋を重ねるように構成してもよい。
【００１６】
都市部における治水対策の一環として、横浜市においては500m2以上の事業所や住宅に対して調整池の設置を義務付けており、例えば、ファミリーレストランの建築の際、その駐車場を10cm掘り下げて50ｔ以上の水を貯められる調整池とするよう義務付けられている。
結局、貯水池用のスペースに限りのある都市部においては、各戸に貯水槽を設置する等して広く薄く水を溜めることで河川への負荷を減らすことが最も有効な対策と考えられているが、この第１の水資源貯蔵器10を各家庭や職場に普及させることが有効な治水対策（都市型洪水予防策）となり得る。
【００１７】
上記のように複数の貯蔵器10を積み上げて設置することができるが、その際に筺体12間を着脱自在に連結するための適当な係合手段を設けてもよい。
また、図４に示すように、各筺体12の上面12ａに水路としての溝部30を形成することもできる。この結果、最上層に位置する貯蔵器10内が満杯状態となり、開口部18から溢れ出た水は、いわゆる「ワイングラスタワー」と同様に溝部30を伝って下層の貯蔵器10に注がれ、最終的には全ての貯蔵器10内に水が充填される。
【００１８】
図５は、この発明に係る第２の水資源貯蔵器32を示す断面図である。
この第２の水資源貯蔵器32は、ほぼ球形状の筺体34を備えており、筺体34内には一つの錘玉36が収納されている。
筺体34には、円形の開口部38が一箇所形成されている。
また、筺体34の外面には、複数（理想的には３個以上）の浮力ウィング40が取り付けられている。この浮力ウィング40は浮き部材として機能するものであり、上記開口部38の反対側（例えば球の中心から45〜60度付近）に位置し、筺体34の外面にそれぞれ等間隔で放射状に配置されている。
上記筺体34及び浮力ウィング40は、共に生分解性プラスティックによって構成されている。筺体34の色彩について特に限定はないが、無色透明であることが望ましい。
また、錘玉36は、鉄や天然ゴムなど、自然界において腐食・分解され得る材質によって構成されている。
【００１９】
つぎに、この第２の水資源貯蔵器32の利用方法について説明する。
まず、貯水段階においては、内部が空の状態の貯蔵器32を水42中に浮かべる。この際、図５の(α)に示すように、開口部38を水流側に向けると共に、錘玉36を反対側に配置させておく。この結果、錘玉36は各浮力ウィング40の中心に位置することとなり、筺体34の水中における姿勢が安定化される。
この状態において上方から水流44を導くと、開口部38から水が筺体34内に自然に充填される。そして、筺体34内がほぼ満杯状態となり全体の浮力が低下すると、水流44に押されて一旦は水中に没する。その後、水流の圧力と浮力との拮抗点以上に沈降すると、浮力ウィング40が機能して天地が逆転し、同図(β)に示すように、開口部38が下方に位置した状態で浮力ウィング40が水面側に再浮上する。この際、錘玉36が開口部38に嵌合されて密封栓として機能する。
【００２０】
ところで、筺体34は球形状をなしているため、注水時には開口部38が水流44に対して自動的に固定されることとなる。
すなわち、球形状の筺体34の表面に沿って一旦水流が形成されると、水の流れの速いところは気圧が周囲よりも低くなるために、筺体34を押し戻す圧力が生じて横にずれ難くなり、水流44に対する位置が安定化することとなる。卑近な例を挙げると、浴槽に浮かべたピンポン玉に蛇口から水道水を注ぐと、玉は弾かれるどころか流水に吸い寄せられる現象がみられるが、これと同じ原理が働く。その際、浮力ウイング40は水流に対して風向計の羽のような役割を果たし、水注入のため開口部38を水流44に安定的に向ける作用をする。
【００２１】
以上のように、この第２の水資源貯蔵器32にあっては、水42に浮かべた筺体34の開口部38に水流を導いてやりさえすれば、満杯状態となった時点で自動的に沈降→回転→再浮上し、開口部38が錘玉36によって封じられることとなる。
つぎに、この第２の水資源貯蔵器32に対する貯水工程をさらに効率化する方法について説明する。
まず、天然あるいは人工の滝の上から多数の貯蔵器32を一度に落下させる。
図６に示すように、滝壺46に浮かんだ貯蔵器32の各開口部38には滝の水流44が注ぎ込まれる。
ほぼ満杯状態となった貯蔵器32は、一旦沈降した後、天地が逆転して再浮上する。
この際、浮力ウィング40に水流が当たって弾かれるため、貯蔵器32は自然に水流44から離れて滝壺46の周辺に追いやられる。
これと入れ替わるように、空の状態の貯蔵器32が水流44に向けて吸い寄せられていく。
【００２２】
上記のように多数の貯蔵器32をアトランダムに水中に投じるとなると、最初から浮力ウィング40が水面上に露出すると共に、錘玉36で封じられた状態の開口部38が水底側に向いてしまう場合が当然ながら生じる。
しかしながら、この状態で浮力ウィング40に水流44が当たると、回転力が生じて浮力ウィング40は一旦水底方向に回動する。すると、この衝撃によって錘玉36が開口部38から外れて浮力ウィング40側に滑落するため、開口部38が水面から露出する本来の姿勢が得られることとなる。すなわち、水流に当たって得られる回転力に加え、水より軽く空気より重い複数の浮力ウイング40の比重により得られる回転力が球形状の筐体34の回転を促し、本来の姿勢が急速に回復することとなる。
もちろん、予め錘玉36を水溶性の接着剤等によって浮力ウィング40側に仮固定しておき、水中に投じた際には必ず浮力ウィング40が水底側に位置するように仕組んでおいてもよい。筺体34の内部に水が満たされた時点で、接着剤が溶解して錘玉36に対する拘束が解除されるため、開口部38の封止機能が阻害されることはない。
【００２３】
この第２の水資源貯蔵器32の移送方法としては、つぎのものが考えられる。
(1) 水中より各貯水器32を引き上げ、通常の貨物として陸上輸送あるいは海上輸送する。
(2) 水に浮かせたまま多数の貯蔵器32に網を掛け、船で曳航して目的地に搬送する。
(3) そのまま河川に流し、下流域において必要に応じて回収する。
これらの中、(1) の場合には開口部38に生分解性素材よりなる密閉シールを貼着し、途中で水漏れが生じることを排除することが有効である。
また、(2) (3) の場合には、例えば開口部38の周縁に水中接着剤を予め塗布しておき、錘玉36が接触した時点で気密に封着されるように構成しておくことで液密性を担保することができる。
あるいは、錘玉36の少なくとも表面部分に水膨張性ゴム層を設けておき、水に浸されてから一定時間経過後に外径が拡張するように構成しておくことも有効である。この結果、錘玉36が開口部38に嵌合した後、錘玉36が膨張して液密にシールすることが可能となる。もしくは、開口部38の内径に水膨張性ゴム層を設け、内径が拡張するようにしても良い。
【００２４】
この第２の水資源貯蔵器32の内部に蓄えられた水資源の利用方法としては、例えば以下のものが考えられる。
(1) 乾燥地域に搬送し、土中に埋設して水分を補給する。
上記した第１の水資源貯蔵器10と同様、筺体32は生分解性プラスティックで形成されているため、地面と接した部分が自然に分解されて内部の水が地中に浸透する。
もちろん、最終的には筺体34及び浮力ウィング40は自然に分解されて後に残らないため、環境汚染の原因となることはない。
(2) 河川の上流において清澄な水を充填して流し、汚染の進んだ下流域において回収し、飲料水等として利用する。
(3) 河川の上流において汚濁された液体・水等を充填して流し、下流において回収後、海洋投棄等の処分をする。例えば、ダムの汚泥・堆砂等有機性ゴミを下流での回収・海洋拡散投棄等を図る。有機性ゴミのため、海洋拡散投棄ができれば、中流・下流・河口の環境負荷を低減できる
【００２５】
図７は、第２の水資源貯蔵器32の変形例を示すものであり、各浮力ウィング40に逆鱗48が取り付けられている点に特徴を有している。
この逆鱗48は、浮力ウィング40の付け根部分にヒンジ50を介して回動自在に固定された板状体であり、水流44が当たると外側に展開して水の抵抗を拡大する機能を発揮するものである。
このため、再浮上した貯蔵器32は、より強い力で周辺に向けて確実に弾き飛ばされることとなる。
【００２６】
図８は、第２の水資源貯蔵器32の他の変形例を示すものであり、上記のように直方体形状の浮力ウィング40を筺体34の外周面に等間隔で複数設ける代わりに、浮力管52を球の中心より斜め45度〜60度付近に筺体34を取り巻くように取り付けた例を示している。
この浮力管52も生分解性プラスティックにより構成され、内部は中空となされている。あるいは、内部に水よりも比重の小さな物質を充填させてもよい。
【００２７】
図９は、第２の水資源貯蔵器32の他の変形例を示すものであり、筺体34の内周面に吸水性樹脂よりなる中綿層54と、これを被う時限性防水カバー56とを設けた点に特徴を備えている。
この防水カバー56は、水分と接触してから一定時間内においては防水効果を発揮するが、これを越えると溶解するという特性を備えている。このため、筺体34内への注水時、及び転回→再浮上時には中綿層54が膨張することがなく、したがって錘玉36の滑動が中綿層54の存在によって阻害されることもない。
これに対し、錘玉36によって開口部38が閉塞され、安定した時点で徐々に防水カバー56が溶解して中綿層54が膨張を始め、やがて筺体34の内部は中綿54によって占拠された状態となる。
この場合、中綿54の分子構造中に水分が蓄えられるため、運搬途中で水がこぼれたり腐敗することを有効に防止できる。
また、この膨張しきった中綿54によって錘玉36が内側から押圧されるため、開口部38の密閉度が高まるという効果も得られる。
【００２８】
上記にあっては、筺体34の外周面に浮力ウィング40や浮力管52を設けた例を説明したが、図１０に示すように、筺体34の内周面に適当な浮き部材を設けることもできる。
図においては、筺体内周面における開口部38の反対側に、内部が中空の浮力管58が浮き部材として取り付けられている。
【００２９】
図１１は、この発明に係る第３の水資源貯蔵器60を示す断面図である。
この第３の水資源貯蔵器60は、ほぼ球形状の筺体62を備えており、筺体62内には吸水性樹脂よりなる中綿14と、水溶性の顔料16が収納されている。
筺体62は、多孔性の生分解性プラスティックより構成されている。
【００３０】
この第３の水資源貯蔵器60の場合、筺体62自体に微細な貫通孔が無数に形成されているため、特別な開口部を設けることなく、内部に水を貯めることが可能となる。
例えば、ビルの隙間や屋上に適当に並べて放置しておくだけで、雨水が筺体62の内部に浸透していく。あるいは、河川や湖沼に投入するだけで、周囲の水を吸収することができる。
そして、この水分を吸って中綿14が徐々に膨張していく。また、この際に顔料16が水に溶け出すため、中綿14が着色される。
したがって、筺体62を無色透明に形成しておけば、外部から内部における水分の充填具合を容易に視認することが可能となる。
【００３１】
この第３の水資源貯蔵器60の利用方法としては、例えば以下のものが考えられる。
(1) 土壌改良材
例えば、富栄養化の進んだ湖沼に多数の貯蔵器を投入して水分を内部に充填させた上で、痩せた土地に持ち込んで土中に埋設する。この結果、生分解性プラスティックよりなる筺体62が徐々に分解され、内部に封じ込められた栄養価の高い水分が土中に吸収されることとなる。
あるいは、酸性度の強い湖沼の水分を吸収させた貯蔵器60をアルカリ度の強い土地に運び、土中に埋設させることで中和を図ることもできる。
(2) 消火材
筺体62が球形であるため、比較的小型に形成した多数の貯蔵器60を消防車のホースで吸い込み、次々と射出することが可能となる。この目的に用いる場合には、筺体60の内部に予め消火効果を促進させる添加剤を充填させておくことが望ましい。
これまでは消防車によって放水することで消火が行われてきたが、水自体は液体であるため構造物の隙間から流出し易いという特性があり、消火手段としては手軽である反面、非効率的であった。また、放水によって周辺住宅に深刻な二次災害（消防水害）が発生するという問題もあった。
これに対し、この第３の水資源貯蔵器60にあっては、固体中に水分が封じ込められているため流出しにくく、また消防水害が発生する危険性もほとんどない。
【００３２】
この第３の水資源貯蔵器60にあっては、筺体62に設けられた微細孔における毛細管現象を通じて水分を内部に取り込むことが基本であるが、短時間で充填を完了させる必要がある場合には、大きめの開口部やスリットを筺体62に形成することもできる。
なお、一旦内部に充填された水分は、吸水性樹脂よりなる中綿14の分子構造中に取り込まれるため、開口部やスリットから漏出することはない。もちろん、生分解性プラスティック等よりなる封着テープによって、これらを液密に封止することもできる。
【００３３】
【発明の効果】
この発明に係る第１の水資源貯蔵器によれば、屋外に放置しておくだけで雨水等を開口部から筺体内に導くことができる。
しかも、筺体内に取り込まれた水は吸水性樹脂よりなる中綿によって捕捉される構造であるため、移送中や保管中における蒸発、腐敗を有効に抑えることができる。
さらに、筺体、網状蓋部材は生分解性プラスティックよりなり、また中綿は有機性の吸水性樹脂によって構成されているため、使用後には土中あるいは水中の微生物によって分解可能であり、環境に対する負荷を最小限に抑えることができる。
【００３４】
この発明に係る第２の水資源貯蔵器によれば、水に浮かべた状態で開口部に流水を導くだけで、容易に水を筺体内に充填することができる。
しかも、充填完了後には流水の影響で沈降→転回→再浮上を果たし、その過程で開口部を錘玉によって自動的に封止することができる。
さらに、筺体及び浮き部材は生分解性プラスティックよりなるため、使用後における環境負荷を低減できる。
筺体内面に中綿層と時限性防水カバーとを配置させておけば、水の充填完了後に吸水性樹脂よりなる中綿によって水が捕捉され、移送中あるいは保管中における蒸発や腐敗を有効に抑えることも可能となる。
【００３５】
この発明に係る第３の水資源貯蔵器によれば、屋外に放置したり水中に投棄しておくだけで、筺体の微細孔を通じて内部に水分を充填させることができる。
しかも、筺体内に取り込まれた水は吸水性樹脂よりなる中綿によって捕捉される構造であるため、移送中や保管中における蒸発、腐敗を有効に抑えることができる。
さらに、筺体及び浮き部材は生分解性プラスティックよりなり、また中綿は有機性の吸水性樹脂によって構成されているため、使用後における環境負荷を低減できる。
【図面の簡単な説明】
【図１】  この発明に係る第１の水資源貯蔵器の構造を示す断面図である。
【図２】  第１の水資源貯蔵器の利用例を示す断面図である。
【図３】  第１の水資源貯蔵器の他の利用例を示す断面図である。
【図４】  第１の水資源貯蔵器の変形例を示す斜視図である。
【図５】  この発明に係る第２の水資源貯蔵器の構造を示す断面図である。
【図６】  第２の水資源貯蔵器に対する貯水工程を示す概念図である。
【図７】  第２の水資源貯蔵器の変形例を示す断面図である。
【図８】  第２の水資源貯蔵器の他の変形例を示す断面図である。
【図９】  第２の水資源貯蔵器の他の変形例を示す断面図である。
【図１０】  第２の水資源貯蔵器の他の変形例を示す断面図である。
【図１１】  この発明に係る第３の水資源貯蔵器の構造を示す断面図である。
【符号の説明】
10  第１の水資源貯蔵器
12  筺体
14  中綿
16  顔料
18  開口部
20  網状蓋部材
21  地面
22  雨水
24  腐葉土
26  球根
30  溝部
32  第２の水資源貯蔵器
34  筺体
36  錘玉
38  開口部
40  浮力ウィング
42  水
44  水流
46  滝壺
48  逆鱗
50  ヒンジ
52  浮力管
54  中綿層
56  時限性防水カバー
58  浮力管
60  第３の水資源貯蔵器
62  筺体
【図１】
0003822069.tif 000002
【図２】
0003822069.tif 000003
【図３】
0003822069.tif 000004
【図４】
0003822069.tif 000005
【図５】
0003822069.tif 000006
【図６】
0003822069.tif 000007
【図７】
0003822069.tif 000008
【図８】
0003822069.tif 000009
【図９】
0003822069.tif 000010
【図１０】
0003822069.tif 000011
【図１１】
0003822069.tif 000012